(57)【要約】【課題】ベッドのサイドレールにおいて、立設状態にてベッドに仰臥した使用者の落下防止に寄与する柵フレームを立設状態で回動不可とするロック機構にて、略々水平状態における前記柵フレームを支持するようにした簡単な構成のサイドレールを提供すること。【解決手段】ベッドの側部に着脱可能とされた固定ユニットに、該固定ユニットに対して立設状態から左右方向外側へ回動可能に少なくとも側面視においてベッド上で仰臥した使用者の肩部から膝部までの範囲で落下防止可能な大きさの柵フレームを配設する。また、前記柵フレームがベッドの床面より下方に位置する回動中心にて回動するようにする。さらに、柵フレームを立設状態で回動不可とするロック機構を設け、柵フレームを略々水平状態としたときに前記ロック機構のレバー部がフロアー上に略々立設された状態となって柵フレームを略々水平状態にて支持するようにする。【選択図】図１
2006109931.tif 000002
【特許請求の範囲】
【請求項１】
ベッドの側部に着脱可能とされた固定ユニットと、該固定ユニットに対して立設状態から左右方向外側へ回動可能に設けられた柵フレームからなるサイドレールにおいて、前記柵フレームを少なくとも側面視においてベッド上で仰臥した使用者の肩部から膝部までの範囲で落下防止可能な大きさとするとともに、柵フレームを立設状態で回動不可とするロック機構を設け、柵フレームを略々水平状態としたときに前記ロック機構のレバー部がフロアー上に略々立設された状態となって柵フレームを略々水平状態にて支持するようにしたことを特徴とするサイドレール。
【請求項２】
前記柵フレームがベッドの床面より下方に位置する回動中心にて回動するようにしたことを特徴とする請求項１に記載のサイドレール。
【発明の詳細な説明】
【技術分野】
【０００１】
本発明は、ベッドのサイドレールに関するもので、詳しくは、高齢者や療養者等が使用するベッドの両側部に取付けることにより不測の落下を防止するための安全枠として機能するとともに、サイドレールを回動させてベッド側部を開放し、高齢者や療養者等がベッドへの上り降りを行いやすくすることも可能なサイドレールに関するものである。
【背景技術】
【０００２】
従来のサイドレールには、サイドレールを直立または水平な位置で保持するための保持具を備え、この保持具を操作手段にて操作することにより、ベッドの縁を恰も回動中心として回動できるように取付けられる当該サイドレールを直立または水平な状態にて保持できるようにしたものがあり、このサイドレールは、サイドレールを回動させることで、ベッド側部を開放して、高齢者や療養者等がベッドへの上り降りを行いやすくしたり、サイドレールを略々水平な状態で保持させて、サイドレールの略々水平面を物置台等として使用できるようにしている（特許文献１参照。）。
【０００３】
このサイドレールは、操作手段を操作することで内蔵されたリンク機構及びラックアンドピニオン機構を動作させ、サイドレールを直立した状態で保持するための保持具と水平な状態で保持するための保持具を同時に動作させるようにしており、サイドレールを直立させたり水平な状態とさせたりすることが至便に行えるようにされている。
しかしながら、このサイドレールは、操作手段を操作することで、内蔵されたリンク機構及びラックアンドピニオン機構を動作させ、サイドレールを直立した状態で保持するための保持具と水平な状態で保持するための保持具を動作させるようにしているため、その構成が複雑なものとなっているとともに、それぞれの状態を保持するための保持具を別々に設けているため部品点数が多くなっている。
【特許文献１】特開平２００３−１３５５３８号公報
【発明の開示】
【発明が解決しようとする課題】
【０００４】
そこで、本発明は上記事情を鑑み、立設状態においてベッドに仰臥した使用者の落下防止に寄与する柵フレームを立設状態で回動不可とするロック機構にて、略々水平状態における前記柵フレームを支持するようにした簡単な構成のサイドレールを提供することを課題とする。
【課題を解決するための手段】
【０００５】
請求項１の発明は、ベッドの側部に着脱可能とされた固定ユニットと、該固定ユニットに対して立設状態から左右方向外側へ回動可能に設けられた柵フレームからなるサイドレールにおいて、前記柵フレームを少なくとも側面視においてベッド上で仰臥した使用者の肩部から膝部までの範囲で落下防止可能な大きさとするとともに、柵フレームを立設状態で回動不可とするロック機構を設け、柵フレームを略々水平状態としたときに前記ロック機構のレバー部がフロアー上に略々立設された状態となって柵フレームを略々水平状態にて支持するようにしたことを特徴とする。
請求項２の発明は、前記柵フレームがベッドの床面より下方に位置する回動中心にて回動するようにしたことを特徴とする。
【発明の効果】
【０００６】
請求項１の発明によれば、柵フレームを少なくとも側面視においてベッド上で仰臥した使用者の肩部から膝部までの範囲で落下防止可能な大きさとした。さらに、柵フレームを立設状態で回動不可とするロック機構を設け、柵フレームを略々水平状態としたときに前記ロック機構のレバー部がフロアー上に立設された状態となって柵フレームを略々水平状態にて支持するようにした。
これによると、このサイドレールは、柵フレームを少なくとも側面視においてベッド上で仰臥した使用者の肩部から膝部までの範囲で落下防止可能な大きさとしたことで、柵フレームが立設状態において、使用者がベッドから転落することを防止できる。また、柵フレームを略々水平状態としたときに、柵フレームが形成する略々水平面は大きなものとなるため、大きな布団等の置き場所としても使用できる。さらに、介護者がベッドに仰臥した使用者を介護するにあたって、布団を別の場所に運ぶ必要がなくなり、介護者の負担を軽減できるとともに、ベッド上を介護しやすい空間とすることができる。
また、このサイドレールは、柵フレームを略々水平状態にて保持するための保持具としてロック機構のレバー部を利用するようにしたことで、柵フレームを略々水平状態で保持するために特別な保持具を設ける必要がなく、サイドレールの構成を簡単なものとすることができる。さらに、柵フレームを立設状態から略々水平状態にする際に操作するロック機構のレバー部を、柵フレームを略々水平状態にて保持するための保持具として利用していることから、柵フレームを略々水平状態にて保持させるための操作も至便なものとすることができる。
【０００７】
請求項２の発明によれば、柵フレームがベッドの床面より下方に位置する回動中心にて回動するようにした。
これによると、このサイドレールは、柵フレームをベッド床面より低い位置で略々水平状態とすることができ、ロック機構のレバー部をコンパクトに構成することができる。また、柵フレームを略々水平状態としたときに、柵フレームをベッドに上り降りする際等の踏み台等としても使用できる。
【発明を実施するための最良の形態】
【０００８】
ベッドのサイドレールにおいて、ベッドの側部に着脱可能とされた固定ユニットに、該固定ユニットに対して立設状態から左右方向外側へ回動可能に柵フレームを配設する。また、前記柵フレームを少なくとも側面視においてベッド上で仰臥した使用者の肩部から膝部までの範囲で落下防止可能な大きさとする。さらに、前記柵フレームがベッドの床面より下方に位置する回動中心にて回動するようにする。また、柵フレームを立設状態で回動不可とするロック機構を設け、柵フレームを略々水平状態としたときに前記ロック機構のレバー部がフロアー上に略々立設された状態となって柵フレームを略々水平状態にて支持するようにする。
【０００９】
これによると、このサイドレールは、柵フレームを少なくとも側面視においてベッド上で仰臥した使用者の肩部から膝部までの範囲で落下防止可能な大きさとしたことで、柵フレームが立設状態において、使用者がベッドから転落することを防止できる。さらに、柵フレームを略々水平状態としたときに、柵フレームが形成する略々水平面は大きなものとなるため、大きな布団等の置き場所としても使用できる。また、介護者がベッドに仰臥した使用者を介護するにあたって、布団を別の場所に運ぶ必要がなくなり、介護者の負担を軽減できるとともに、ベッド上を介護しやすい空間とすることができる。
また、このサイドレールは、柵フレームを略々水平状態にて保持するための保持具としてロック機構のレバー部を利用するようにしたことで、柵フレームを略々水平状態で保持するために特別な保持具を設ける必要がなく、サイドレールの構成を簡単なものとすることができる。さらに、柵フレームを立設状態から略々水平状態にする際に操作するロック機構のレバー部を、柵フレームを略々水平状態にて保持するための保持具として利用していることから、柵フレームを略々水平状態にて保持させるための操作も至便なものとすることができる。
さらに、このサイドレールは、柵フレームがベッドの床面より下方に位置する回動中心にて回動するようにしたことで、柵フレームをベッド床面より低い位置で略々水平状態とすることができ、ロック機構のレバー部をコンパクトに構成することができる。また、柵フレームを略々水平状態としたときに、柵フレームをベッドに上り降りする際等の踏み台等としても使用できる。
【実施例１】
【００１０】
本発明にかかるサイドレールの一実施形態を図面に基づいて説明する。第１図はサイドレールを示す全体斜視図である。第２図はサイドレールの構成を示す説明図である。第３図はロック機構の構成を示す説明図である。第４図はベッドへの取付け状態を示す説明図である。第５図はサイドレールの動きを示す説明図である。第６図はサイドレールの使用例を示す説明図である。
【００１１】
このサイドレール１は、ベッドＢの側部に着脱可能に固定される固定ユニット２と、該固定ユニット２に回動可能に配設される柵フレーム３と、該柵フレーム３を立設状態にて回動不可とするロック機構４から構成されている。
【００１２】
まず、固定ユニット２について説明する。
この固定ユニット２は、第２図に示すように、二つの固定軸部５，５と、該固定軸部５，５を連結する連結桁６から主に構成されている。
前記固定軸部５，５は、第２図に示すように、上部に細径部７ａ，７ａが設けられた固定軸７，７の下部に、該固定軸７，７を挟んで相対するよう支持プレート８，８，・・・が固着されるとともに、該支持プレート８，８，・・・の下部かつ固定軸７，７より左右方向外側へ突出した位置に前後方向の軸心を有するよう空孔部８ａ，８ａ，・・・が穿たれている。そして、二つの固定軸部５，５の固定軸７，７が平行かつ支持プレート８，８，・・・に設けた空孔部８ａ，８ａ，・・・の軸心が同一直線上に位置するように、固定軸部５，５の支持プレート８，８間に前記連結桁６が固着されている。また、一方の固定軸部５の固定軸７下部かつ支持プレート８，８間にボス部材９が固着され、固定ユニット２は構成されている。なお、前記ボス部材９の上下方向の軸心上には空孔部９ａが設けられている。
【００１３】
次に、前記固定ユニット２に回動可能に配設される柵フレーム３について説明する。
この柵フレーム３は、第２図に示すように、パイプ等を曲折させて側面視において略々矩形状に形成した枠パイプ１０内に、下端部が前記固定ユニット２に枢結される支持パイプ１１，１１が固着されている。また、支持パイプ１１，１１間には補強パイプ１２が固着されるとともに、枠パイプ１０と補強パイプ１２間及び枠パイプ１０内に遮蔽材１３，１３，・・・が複数本固着されている。また、一方の支持パイプ１１の中間部左右方向内側面にはボス部材１４が固着されている。なお、前記ボス部材１４の上下方向の軸心上には空孔部１４ａが設けられている。
このように構成された柵フレーム３は、ベッドＢに仰臥した使用者の肩部から膝部までの範囲を落下防止可能な大きさとされている。また、この柵フレーム３は、支持パイプ１１，１１の下端部が前記固定ユニット２の固定軸部５，５の支持プレート８，８，・・・間に位置するよう配設され、前記支持プレート８，８，・・・の空孔部８ａ，８ａ，・・・と支持パイプ１１，１１の下端部に設けた空孔部１１ａ，１１ａに軸部材１５，１５が枢結されて、固定ユニット２に配設される。この際、前記軸部材１５，１５は軸心が同一直線上に位置するよう配設されており、柵フレーム３が立設状態から左右方向外側へ固定ユニット２に対して回動可能にされている。また、柵フレーム３の立設状態において、柵フレーム３のボス部材１４が固定ユニット２のボス部材９の上部側に位置するようになるとともに、両者の空孔部１４ａ，９ａの軸心が同一直線上に位置するようにされている。
なお、柵フレーム３を立設状態から左右方向内側へ回動させようとしても、前記固定ユニット２と柵フレーム３が接触して、柵フレーム３が左右方向内側へは回動できないようにされており、ベッドＢに仰臥した使用者に向かって柵フレーム３が回動することがないようにされている。すなわち、ベッドＢに仰臥した使用者が柵フレーム３とベッドＢに挟まれることがなく、安全である。
【００１４】
続いて、立設状態において前記柵フレーム３を回動不可とするロック機構４について説明する。
このロック機構４は、前記柵フレーム３を立設状態にて固定ユニット２に対して回動不可とするためのピン部材１６と、該ピン部材１６を動作させるためのレバー部１７と、該レバー部１７とピン部材１６を連結するロッド１８にて構成されている。
【００１５】
まず、レバー部１７は、第２図に示すように、パイプ等を略々Ｕ字形状に曲折させた把持部１９の両端部に、平面視において略々Ｌ字形状のアームプレート２０，２０が固着されている。また、アームプレート２０，２０の上部かつ把持部１９より左右方向内側に突出した位置には前後方向の軸心を有する空孔部２０ａ，２０ａが穿たれるとともに、該空孔部２０ａ，２０ａより把持部１９寄りにも空孔部２０ｂ，２０ｂが穿たれている。
このように構成されたレバー部１７は、前記柵フレーム３の支持パイプ１１，１１上部に設けた前後方向の軸心を有する空孔部１１ｂ，１１ｂにアームプレート２０，２０の把持部１９より離れた位置に設けた空孔部２０ａ，２０ａが合され、支持パイプ１１，１１とアームプレート２０，２０の前記空孔部１１ｂ，１１ｂ，２０ａ，２０ａに軸部材２１，２１が枢結されて、柵フレーム３に配設される。この際、前記軸部材２１，２１は軸心が同一直線上に位置するよう配設されており、レバー部１７が左右方向外側へ柵フレーム３に対して回動可能にされている。
【００１６】
前記ピン部材１６は、第３図に示すように、前記柵フレーム３のボス部材１４と前記固定ユニット２のボス部材９の空孔部１４ａ，９ａに同時に挿通できるだけの長さを有する軸材２２上端にボス部材２３が固着されている。
このように構成されたピン部材１６は、前記柵フレーム３を立設させた状態にて柵フレーム３のボス部材１４と固定ユニット２のボス部材９の空孔部１４ａ，９ａに軸材２２が差し込まれ、柵フレーム３の固定ユニット２に対する回動を不可とし、柵フレーム３を立設状態にて保持させるものである。
【００１７】
そして、第３図に示すように、前記レバー部１７のピン部材１６上方に位置する側のアームプレート２０の空孔部２０ｂと前記ピン部材１６のボス部材２３の空孔部２３ａが略々鉤形状の前記ロッド１８にて連結され、ロック機構４は構成されている。なお、ロッド１８の両端部は空孔部２０ｂ，２３ａに対して回動可能にされるとともに、図示していない抜け止めにて空孔部２０ｂ，２３ａからロッド１８が外れないようにされている。
【００１８】
このように構成されたサイドレール１は、第４図に示すように、ベッドＢのベースフレームＢ１に設けられたサイドレール取付筒Ｂ２，Ｂ２に、固定ユニット２の固定軸７，７の細径部７ａ，７ａが下方より差し込まれ、細径部７ａ，７ａ上端部に設けられている螺子部７ｂ，７ｂに手動締付け可能なノブボルト２４，２４が止着されて、ベッドＢに固定されて使用される。
【００１９】
続いて、このサイドレール１の動きについて、第５図に基づいて説明する。
まず、（ａ）図に示す状態から（ｂ）図に示す状態へ、ロック機構４のレバー部１７を左右方向外側へ回動させる。すると、ロッド１８が上方へ引き上げられるとともに、ピン部材１６が上方へ引き上げられ、ピン部材１６の軸材２２が固定ユニット２のボス部材９の空孔部９ａから引き抜かれ、柵フレーム３が軸部材１５，１５を中心に回動可能な状態となる。
次に、（ｂ）図に示すレバー部１７を回動させた状態を保ちながら、（ｃ）図に示すように、柵フレーム３を立設状態から左右方向外側へ回動させると、柵フレーム３はベッドＢ床面より低い位置に位置する軸部材１５，１５を中心に回動される。
そして、（ｃ）図に示すように、柵フレーム３が略々水平状態となると、レバー部１７がベッドＢが設置されているフロアーＧ上に略々立設された状態となって柵フレーム３の回動中心から離れた側を支持するようになる。すなわち、柵フレーム３は略々水平状態にて固定ユニット２とロック機構４のレバー部１７にてしっかりと支持されるようにされている。
【００２０】
このように、このサイドレール１は、柵フレーム３を回動させて略々水平状態としたときに、柵フレーム３を固定ユニット２とロック機構４のレバー部１７にてしっかりと支持するようにした。すなわち、柵フレーム３を略々水平状態にて保持するための保持具としてロック機構４のレバー部１７を利用するようにした。これによって、柵フレーム３を略々水平状態で保持するために特別な保持具を設ける必要がなく、サイドレール１の構成を簡単なものとすることができる。また、柵フレーム３を立設状態から略々水平状態にする際に操作するロック機構４のレバー部１７を、柵フレーム３を略々水平状態にて保持するための保持具として利用していることから、柵フレーム３を略々水平状態にて保持させるための操作も至便なものとすることができる。
また、このサイドレール１は、柵フレーム３が立設状態において、第６図の（ａ）図に示すように、ベッドＢに仰臥した使用者の肩部から膝部までの範囲を落下防止可能な大きさとされた柵フレーム３にて、使用者がベッドＢから転落することを防止できる。
さらに、柵フレーム３をベッドＢに仰臥した使用者の肩部から膝部までの範囲を落下防止可能な大きさとしていることで、柵フレーム３を略々水平状態としたときに柵フレーム３が形成する略々水平面が大きなものとなるため、第６図の（ｂ）図に示すように、大きな布団等の置き場所としても使用できる。さらに、介護者がベッドＢに仰臥した使用者を介護するにあたって、布団を別の場所に運ぶ必要がなくなり、介護者の負担を軽減できるとともに、ベッドＢ上を介護しやすい空間とすることができる。
また、このサイドレール１は、柵フレーム３をベッドＢ床面よりも低い位置に位置させた軸部材１５，１５を回動中心として回動させるようにしており、柵フレーム３をベッドＢ床面より低い位置で略々水平状態とすることができ、ロック機構４のレバー部１７をコンパクトに構成することができる。また、図示してはいないが、柵フレーム３の枠パイプ１０内部及び枠パイプ１０と補強パイプ１２間を板材等で覆うようにしておけば、柵フレーム３を略々水平状態としたときに、柵フレーム３をベッドＢに上り降りする際等の踏み台等としても使用できる。
【図面の簡単な説明】
【００２１】
【図１】サイドレールを示す全体斜視図。
【図２】サイドレールの構成を示す説明図。
【図３】ロック機構の構成を示す説明図。
【図４】ベッドへの取付け状態を示す説明図。
【図５】サイドレールの動きを示す説明図。                                   （ａ）柵フレームの立設状態を示す断面正面図。                               （ｂ）柵フレームの回動可能状態を示す断面正面図。                           （ｃ）柵フレームの水平状態を示す断面正面図。
【図６】サイドレールの使用例を示す説明図。                                 （ａ）安全枠として機能する状態を示す側面図。                               （ｂ）物置として機能する状態を示す斜視図。
【符号の説明】
【００２２】
１    サイドレール
２    固定ユニット
３    柵フレーム
４    ロック機構
１７  レバー部
Ｂ    ベッド
Ｇ    フロアー
【図１】
2006109931.tif 000003
【図２】
2006109931.tif 000004
【図３】
2006109931.tif 000005
【図４】
2006109931.tif 000006
【図５】
2006109931.tif 000007
【図６】
2006109931.tif 000008